(57)【特許請求の範囲】
【請求項１】
記録媒体を収納したカセットを装置内部に案内するガイド部材と、装置のカセット挿入口を開閉する回動可能なフラップとを備えるカセットの挿入口構造であって、
前記ガイド部材に、前記フラップが備える回転軸を回動可能に支持する軸受け用孔と、前記ガイド部材の背面側から前記軸受け用孔にまで至るスリットとを形成し、
前記スリットの前記軸受け用孔側の端部における前記スリットの内面に、前記軸受け用孔の一部を形成した突部を形成し、
前記ガイド部材における前記突部の近傍に、開口部を形成し、
前記回転軸に、前記軸受け用孔に当接する当接部と、前記軸受け用孔よりも径が大きい移動規制手段とを設け、
前記スリットの幅が前記当接部の径よりも大きく、前記突部の頂点部分と前記スリットの反対側の内面との間に生じる隙間の幅が前記当接部の径よりも小さく、
前記スリットに対する前記回転軸の軸線方向への移動を前記移動規制手段によって規制し、
前記スリットに沿った前記回転軸の移動を前記突部によって規制することを特徴とするカセットの挿入口構造。
【請求項２】
請求項１に記載のカセットの挿入口構造であって、
前記スリットは、前記ガイド部材の背面側からカセットの挿入方向に沿ってほぼ平行に形成した第一のスリットと、前記第一のスリットの端部からカセット挿入方向にほぼ垂直に前記軸受け用孔まで至るように形成した第二のスリットとからなり、
前記移動規制手段は、前記当接部よりも径が大きいことを特徴とするカセットの挿入口構造。
【発明の詳細な説明】
【０００１】
【発明の属する技術分野】
本発明は、記録媒体を収納したカセットの挿入口構造に関する。
【０００２】
【従来の技術】
従来、記録媒体を内部に収めたカセット、例えば、ＭＤ（ミニディスク）を用いる情報記録再生装置には、カセットの挿入口から装置内部への埃等の侵入を防ぐ目的で、挿入口閉塞用のフラップが取り付けられている。
図４は、従来用いられているＭＤの挿入口構造を示している。この挿入口１００は、ＭＤ再生装置のフロントパネル（図示せず）の裏面側に設けられており、ＭＤの挿入に伴い回転軸１０１を中心として円弧状に回動するフラップ１０２、回転軸１０１と嵌合することでフラップ１０２の前後方向（ＭＤ挿入排出方向）への移動を規制するストッパー１０３及びリブ１０４、回転軸１０１の両端部と当接することでフラップ１０２の左右方向への移動を規制する２つのリブ１０５、挿入口１００の外枠部分を構成し、ＭＤの挿入排出時の位置決め及び案内用部材（ガイド）としての機能を備えるガイド用リブ１０６等から概略構成される。なお、フラップ１０２は、バネ（図示せず）により閉方向に付勢されている。
【０００３】
【発明が解決しようとする課題】
ところで、従来の挿入口構造では、上述のように２つのリブ１０５をフラップ１０２の左右両側に設けていたため、フロントパネルの裏面側に挿入口１００を配設するためのスペースを広く取らなければならず、再生装置が備える操作用ボタン等の配設位置が制限されるという問題があった。
また、前記リブ１０４、１０５、１０６等を合成樹脂等によりフロントパネルと一体に成形する場合があるが、従来の挿入口構造では挿入口を構成する部品点数が多くなる。従って、フロントパネル成形用の金型の形状が複雑なものとなり、金型製作に時間がかかるという問題や、フロントパネル成形時におけるヒケ（樹脂が硬化し、収縮する際に生じる窪み）が発生しやすくなるという問題があった。
また、回転軸１０２をリブ１０４に嵌合させる際に、リブ１０４や回転軸１０２を弾性的にたわませる必要があったため、作業性が悪いという問題があった。
【０００４】
本発明の課題は、上述の問題を考慮して、部品点数が少なく、製造が容易なカセットの挿入口構造を提供することである。
【０００５】
【課題を解決するための手段】
上記の課題を解決するため、請求項１記載のカセットの挿入口構造は、記録媒体を収納したカセット（ＭＤ６０）を装置内部に案内するガイド部材（３０）と、装置のカセット挿入口を開閉する回動可能なフラップ（２０）とを備えるカセットの挿入口構造であって、前記ガイド部材に、前記フラップが備える回転軸（２１）を回動可能に支持する軸受け用孔（３２）と、前記ガイド部材の背面側から前記軸受け用孔にまで至るスリット（３１）とを形成し、前記スリットの前記軸受け用孔側の端部における前記スリットの内面に、前記軸受け用孔の一部を形成した突部（３３）を形成し、前記ガイド部材における前記突部の近傍に、開口部（３４）を形成し、前記回転軸に、前記軸受け用孔に当接する当接部（２１ａ）と、前記軸受け用孔よりも径が大きい移動規制手段（フラップ支持部２１ｂ）とを設け、前記スリットの幅が前記当接部の径よりも大きく、前記突部の頂点部分と前記スリットの反対側の内面との間に生じる隙間の幅が前記当接部の径よりも小さく、前記スリットに対する前記回転軸の軸線方向への移動を前記移動規制手段によって規制し、前記スリットに沿った前記回転軸の移動を前記突部によって規制することを特徴とする。
【０００６】
請求項１記載のカセットの挿入口構造によれば、挿入口（１０）がガイド部材とフラップとにより概略構成される、即ち、挿入口を構成する部品点数が少なくなり、挿入口の構造を簡易なものにできる。
また、挿入口の構造が簡易なものとなることにより、挿入口を成形する際に用いる金型の製作に要する時間を削減できると共に、挿入口の成形時に発生するヒケを抑えることができる。
また、回転軸を軸受け用孔に嵌合させる際に、回転軸をガイド部材の背面側からスリットを通して軸受け用孔まで移動させるだけでよいので、作業性が向上する。
また、回転軸自体に、回転軸の長手方向への移動を規制するための移動規制手段を設ける。即ち、回転軸自体が、回転軸の位置決めを行なう機能を備えることで、従来、挿入口の左右側に設けられていた、回転軸の左右方向への移動を規制するための部材が必要なくなり、挿入口の左右側のスペースを有効に利用できる。
また、軸受け用孔の近傍に開口部及び突部を設けることによって、回転軸を軸受け用孔に嵌合させる際に、回転軸と当接するスリットの内面部分が開口部に弾性的に移動するので、嵌合作業が容易となり、スリットに沿った回転軸の移動を規制する。
【０００９】
請求項２に記載のカセットの挿入口構造は、請求項１に記載のカセットの挿入口構造であって、前記スリットは、前記ガイド部材の背面側からカセットの挿入方向に沿ってほぼ平行に形成した第一のスリット（３１ａ）と、前記第一のスリットの端部からカセット挿入方向にほぼ垂直に前記軸受け用孔まで至るように形成した第二のスリット（３１ｂ）とからなり、前記移動規制手段は、前記当接部よりも径が大きいことを特徴とする。
【００１０】
請求項３記載のカセットの挿入口構造によれば、請求項１または２と同様の効果を得られると共に、前記移動規制手段が、回転軸の一部の径を軸受け用孔の径よりも大きく形成した部分である。即ち、回転軸の一部である移動規制手段の側面（２１ｂ´）が、ガイド部材の側面（３０ａ）に当接することで回転軸の移動が規制される。従って、移動規制手段を容易に形成することができる。
【００１１】
【発明の実施の形態】
以下、図を使用して、本実施の形態にかかるカセットの挿入口構造について説明する。なお、本実施の形態においては、記録媒体を収納するカセットとしてＭＤを用いるものとする。また、図１〜図３に示すＸ軸方向を前後方向とし、Ｙ軸方向を左右方向とする。そしてＭＤ６０はＸ軸の正方向に挿入されるものとする。
【００１２】
カセットの挿入口１０は、図１〜図３に示すように、フラップ２０とガイド部材３０とから概略構成される。
【００１３】
フラップ２０は、例えば、金属や合成樹脂などからなる略矩形状の薄板であり、ガイド部材３０の内部において、ＭＤ挿入口１１を開閉するために設けられる。
フラップ２０は、その上縁部分に回転軸２１を備える。
【００１４】
回転軸２１は金属や合成樹脂などからなる棒状体であり、フラップ２０を支持すると共に、その両端部分において後述する軸受け用孔３２に回動可能に支持される。
なお、図１に示すように、フラップ２０を閉方向に付勢するためにバネ４０（引張りバネ）が用いられる。バネ４０の一端は回転軸２１に設けられるバネ係止部２２にかけられ、他端は、例えばＭＤ再生装置本体にかけられる。
従って、通常時、即ちＭＤ６０の挿入排出時以外は、フラップ２０はバネ４０の付勢力に従いＭＤ挿入口１１を閉じている。そしてＭＤ挿入排出時には、フラップ２０はＭＤ６０により押圧されることで、前記回転軸２１を中心として円弧状に回動し、ＭＤ挿入口１１を開く。
【００１５】
また、回転軸２１は、図３に示すように当接部２１ａとフラップ支持部２１ｂとを備える。
当接部２１ａは、その一部において後述する軸受け用孔３２と当接する部材であり、該当接部２１ａの径Ｄ１は軸受け用孔３２の径Ｄ２よりも小さくなるよう形成される。
フラップ支持部２１ｂは、フラップ２０を支持すると共に、回転軸の左右方向の移動を規制する移動規制手段として用いられる部材であり、フラップ支持部２１ｂの径Ｄ３は軸受け用孔３２の径Ｄ２よりも大きくなるよう形成される。
そして、フラップ支持部２１ｂの左右両側面２１ｂ´から当接部２１ａが左右方向に延出して設けられる。
【００１６】
ガイド部材３０は、例えば、プラスチック等の合成樹脂により略四角枠状に、ＭＤ再生装置のフロントパネル５０（図２を参照。）と共に一体成形される。なお、ガイド部材３０は、その内寸がＭＤ６０の外寸より若干量だけ大きくなるように形成され、フロントパネル５０のＭＤ挿入口１１を囲んだ状態で後方に延出して設けられる。従って、ＭＤ６０の挿入時において、ＭＤ６０はガイド部材３０により上下左右方向に位置決めされ、装置内部に正確に案内されるという効果を奏する。
【００１７】
ガイド部材３０の左右側面（以下、「ガイド部材側面３０ａ」という。）のそれぞれには、スリット３１、軸受け用孔３２、突部３３、開口部３４が設けられる。
スリット３１は、側面視した場合に略Ｌ字状となるように設けられる。ここで、略Ｌ字状のスリット３１のうち、前後方向に対して平行に設けられる部分を第一のスリット３１ａとし、該第一のスリット３１ａの前方側の端部から上方に、前後方向に対して略直交する方向に設けられる部分を第二のスリット３１ｂとする。
【００１８】
第一のスリット３１ａはガイド部材側面３０ａの下縁部分に設けられ、その後方部分はガイド部材側面３０ａの後面側にまで至る。
第二のスリット３１ｂは、第一のスリット３１ａの前方側の端部から上方に、ガイド部材側面３０ａの上縁部分まで設けられる。
なお、回転軸２１を、後述する軸受け用孔３２に嵌合させる際に回転軸２１がスリット３１の内部を通過できるよう、第一のスリットの幅Ｂ１及び第二のスリットの幅Ｂ２（図２を参照。）は前記回転軸の当接部２１ａの径Ｄ１より大きいものとする。
【００１９】
軸受け用孔３２は、前記第二のスリット３１ｂの上端部分において、回転軸２１を回動可能に支持するために設けられる。なお、軸受け用孔３２は、第二のスリット３１ｂの上端部分と後述する突部３３の上方部分とから概略形成され、軸受け用孔３２の下方側の一部は開いた状態となる。また、上述のように、軸受け用孔３２の径Ｄ２は、回転軸の当接部２１ａの径Ｄ１よりも大きく、フラップ支持部２１ｂの径Ｄ３よりも小さいものとされている。
従って、回転軸２１が軸受け用孔３２に支持された状態において、回転軸２１の左右方向への移動は、フラップ支持部２１ｂの側面２１ｂ´が、ガイド部材側面３０ａの内面に当接することにより規制されることになる。
【００２０】
突部３３は、前記第二のスリット３１ｂの上端部分において、後述する軸受け用孔３２の一部を形成し、回転軸２１の下方側への移動を規制するために設けられる。なお、本実施の形態においては、突部３３は、第二のスリット３１ｂの前後側２つの内面のうち、前側の内面に設けられるものとする。
なお、突部３３の頂点部分と第二のスリット３１ｂの後側の内面との間に生ずる隙間の幅Ｂ３（図２を参照。）が、回転軸の当接部２１ａの径Ｄ１に対して若干小さくなるようにしておく。
【００２１】
開口部３４は、略矩形状に形成され、前記第二のスリット３１ｂよりも後方側であって、前記突部３３の近傍に設けられる。該開口部３４を設けることで、回転軸２１を軸受け用孔３２に嵌合させる際に、回転軸２１と当接する第二のスリット３１ｂの内面部分が、前記隙間の幅Ｂ３を広げる方向に弾性的に移動するので、嵌合作業が容易となる。
【００２２】
次に、回転軸２１を軸受け用孔３２に嵌合させる手順について説明する。
まず、フラップ２０と一体となった回転軸２１を、第一のスリット３１ａの後端側から該第一のスリット３１ａの内部に挿入する。
そして、回転軸の当接部２１ａを、前記突部３３の頂点部分と第二のスリット３１ｂの後側の内面に当接させる。
【００２３】
この状態からさらに回転軸２１を上方に移動させていくと、回転軸２１と当接する第二のスリット３１ｂの内面部分が弾性的に後方へ移動する。この移動により、前記隙間の幅Ｂ３が一時的に回転軸の当接部２１ａの径Ｄ１よりも大きくなるので回転軸２１は該隙間部分を通過できる。
そして、さらに回転軸２１を上方に移動させることで、回転軸２１が軸受け用孔３２と嵌合し、作業が終了する。
【００２４】
本実施の形態にかかるカセットの挿入口構造によれば、挿入口１０がフラップ２０とガイド部材３０とにより概略構成される、即ち、挿入口１０を構成する部品点数が少なくなり、挿入口１０の構造を簡易なものにできる。
また、挿入口１０の構造が簡易なものとなることにより、挿入口１０を成形する際に用いる金型の製作に要する時間を削減できると共に、挿入口１０の成形時に発生するヒケを抑えることができる。
【００２５】
また、回転軸２１を軸受け用孔３２に嵌合させる際に、回転軸２１をガイド部材３０の背面側からスリット３１を通して軸受け用孔３２まで移動させるだけでよいので、作業性が向上する。
また、上述のように、回転軸のフラップ支持部２１ｂの径Ｄ３が、軸受け用孔３２の径Ｄ２よりも大きいことにより回転軸２１の左右方向への移動が規制される。即ち、回転軸自体が、該回転軸の左右方向への移動を規制し、位置決めを行なう機能を備えることになる。従って、従来、挿入口の左右側に設けられていた、回転軸の左右方向への移動を規制するための部材が必要なくなり、挿入口１０の左右側のスペースを有効に利用できる。また、回転軸の左右方向の位置決めが、従来と比較してより短い距離（スパン）で行なわれることになるので、回転軸２１及びフラップ２０の製造時に要求される部品寸法公差をより小さくでき、寸法誤差の少ない回転軸２１及びフラップ２０を製造できる。
【００２６】
なお、本実施の形態は、ＭＤの挿入口構造について説明したが、これに限定せず、例えばビデオデッキの挿入口構造等にも適用可能である。
また、フロントパネル５０とガイド部材３０とを一体成形するものとしたが、フロントパネル５０とガイド部材３０を別個に製造し、その後の工程において両者を接合するものとしても良い。
また、フラップ２０と回転軸２１とを一体に成形してもよい。
また、回転軸のフラップ支持部２１ｂの径Ｄ３を軸受け用孔３２の径Ｄ２より大きいものとしたが、これに限らず、例えば、回転軸の径を長手方向全域に渡って等しいものとし、回転軸の左右両端部分に突起物を設ける。そして、該突起物がガイド部材側面３０ａに当接することで回転軸２１の左右方向への移動を規制するものとしてもよい。
【００２７】
また、前記突部３３を、第二のスリット３１ｂの前後側２つの内面のうち後側の内面に設け、開口部３４を第二のスリット３１ｂよりも前方側に設けるものとしてもよい。
また、フラップ２０を閉方向に付勢するための付勢方法としては、本実施の形態で示した引張りバネ４０とバネ係止部２２とを用いる方法に限定されず、他にも例えばねじりバネを用いる方法など周知の付勢方法を用いるものとする。
【００２８】
【発明の効果】
請求項１記載のカセットの挿入口構造によれば、挿入口がガイド部材とフラップとにより概略構成される、即ち、挿入口を構成する部品点数が少なくなり、挿入口の構造を簡易なものにできる。
また、挿入口の構造が簡易なものとなることにより、挿入口を成形する際に用いる金型の製作に要する時間を削減できると共に、挿入口の成形時に発生するヒケを抑えることができる。
また、回転軸を軸受け用孔に嵌合させる際に、回転軸をガイド部材の背面側からスリットを通して軸受け用孔まで移動させるだけでよいので、作業性が向上する。
また、回転軸自体が、回転軸の位置決めを行なう機能を備えることで、従来、挿入口の左右側に設けられていた、回転軸の左右方向への移動を規制するための部材が必要なくなり、挿入口の左右側のスペースを有効に利用できる。
【００２９】
また、軸受け用孔の近傍に開口部を設けることによって、回転軸を軸受け用孔に嵌合させる際に、回転軸と当接するスリットの内面部分が開口部に弾性的に移動するので、嵌合作業が容易となる。
【００３０】
請求項２記載のカセットの挿入口構造によれば、請求項１と同様の効果を得られると共に、回転軸の一部である移動規制手段の側面（２１ｂ´）が、ガイド部材の側面（３０ａ）に当接することで回転軸の移動が規制される。従って、移動規制手段を容易に形成することができる。
【図面の簡単な説明】
【図１】本実施の形態にかかるカセットの挿入口構造を示す斜視図である。
【図２】本実施の形態にかかるカセットの挿入口構造を示す側面図である。
【図３】本実施の形態にかかるカセットの挿入口構造を示す要部斜視図である。
【図４】従来のＭＤの挿入口構造を示す斜視図である。
【符号の説明】
１１    カセットの挿入口（ＭＤ挿入口）
２０    フラップ
２１    回転軸
３０    ガイド部材
３１    スリット
３１ａ  第一のスリット
３１ｂ  第二のスリット
３２    軸受け用孔
３３    突部
３４    開口部
６０    カセット（ＭＤ）
【図１】
0003690586.tif 000002
【図２】
0003690586.tif 000003
【図３】
0003690586.tif 000004
【図４】
0003690586.tif 000005